(57)【要約】【課題】シワの発生を抑制でき、外観品質を高めることができるトリムカバー及び乗物用シート並びに保管搬送具を提供する。【解決手段】乗物用シート１のトリムカバー６は、保管搬送具３０の吊り下げ具３３に引っ掛けられる少なくとも一つの引っ掛け部１５を、トリムカバー６の裏面側に備える。保管搬送具３０は、保管搬送具３０の設置面から離間して水平に配置されている一つ以上のレール３１を備え、レール３１は、トリムカバー６の引っ掛け部１５が引っ掛けられる複数の吊り下げ具３３を有し、複数の吊り下げ具３３は、レール３１の延在方向に移動可能にレール３１に支持されている。【選択図】図２
2019018653.tif 000002
【特許請求の範囲】
【請求項１】
乗物用シートのトリムカバーであって、
吊り下げ具に引っ掛けられる少なくとも一つの引っ掛け部を、当該トリムカバーの裏面側に備えるトリムカバー。
【請求項２】
請求項１記載のトリムカバーであって、
複数の表皮材が縫い合わされてなり、
前記引っ掛け部は、二枚の表皮材が縫い合わされている縫合部に設けられているトリムカバー。
【請求項３】
請求項２記載のトリムカバーであって、
前記引っ掛け部は、前記縫合部に形成された前記二枚の表皮材それぞれの縫い代のうち一方の縫い代に設けられており、前記一方の縫い代に形成された貫通孔を含むトリムカバー。
【請求項４】
請求項３記載のトリムカバーであって、
前記一方の縫い代は、他方の縫い代と重ね合された状態で、前記他方の縫い代から突出して配置される突出部を有し、
前記引っ掛け部は、前記突出部に設けられているトリムカバー。
【請求項５】
請求項１から４のいずれか一項記載のトリムカバーであって、
前記引っ掛け部は、当該トリムカバーのシート幅方向の中央部に配置されているトリムカバー。
【請求項６】
請求項１から４のいずれか一項記載のトリムカバーであって、
前記引っ掛け部を複数備え、
複数の前記引っ掛け部は、当該トリムカバーのシート幅方向の中心線を挟んで対称に配置されているトリムカバー。
【請求項７】
請求項１から６のいずれか一項記載のトリムカバーによって覆われた乗物用シート。
【請求項８】
請求項１から６のいずれか一項記載のトリムカバーの保管搬送具であって、
当該保管搬送具の設置面から離間して水平に配置されている一つ以上のレールを備え、
前記レールは、前記トリムカバーの前記引っ掛け部が引っ掛けられる複数の吊り下げ具を有する保管搬送具。
【請求項９】
請求項８記載の保管搬送具であって、
前記複数の吊り下げ具は、前記レールの延在方向に移動可能に前記レールに支持されており、且つ前記レールから取り外し不能に前記レールに取り付けられている保管搬送具。
【発明の詳細な説明】
【技術分野】
【０００１】
本発明は、トリムカバー及び乗物用シート並びに保管搬送具に関する。
【背景技術】
【０００２】
自動車等の車両に搭載されるシートのトリムカバーは、一般に、複数の表皮材が縫い合わされてなり、縫製工程の後工程にて、シートのクッションパッドがトリムカバーと一体に発泡成形され（例えば特許文献１参照）、又は別に成形されたクッションパッドにトリムカバーが被せられる（例えば、特許文献２参照）。
【先行技術文献】
【特許文献】
【０００３】
【特許文献１】特開２０００−３２５６８０号公報
【特許文献２】特開２００９−１１２６１１号公報
【発明の概要】
【発明が解決しようとする課題】
【０００４】
縫製されたトリムカバーは、典型的には、パレットに積み上げられた状態で保管され、上記後工程に搬送される。しかし、パレットに積み上げられたトリムカバーは、上に重なるトリムカバーの重量が負荷された状態で押し潰されており、トリムカバーにシワが付く場合がある。トリムカバーにシワが付いたままではシートの外観品質が損なわれる虞があり、シワをのばす作業には手間を要する。
【０００５】
本発明は、上述した事情に鑑みなされたものであり、シワの発生を抑制でき、外観品質を高めることができるトリムカバー及び乗物用シート並びに保管搬送具を提供することを目的としている。
【課題を解決するための手段】
【０００６】
本発明の一態様のトリムカバーは、吊り下げ具に引っ掛けられる少なくとも一つの引っ掛け部を、当該トリムカバーの裏面側に備える。
【０００７】
また、本発明の一態様の乗物用シートは、前記トリムカバーによって覆われている。
【０００８】
また、本発明の一態様の保管搬送具は、当該保管搬送具の設置面から離間して水平に配置されている一つ以上のレールを備え、前記レールは、前記トリムカバーの前記引っ掛け部が引っ掛けられる複数の吊り下げ具を有する。
【発明の効果】
【０００９】
本発明によれば、シワの発生を抑制でき、外観品質を高めることができるトリムカバー及び乗物用シート並びに保管搬送具を提供することができる。
【図面の簡単な説明】
【００１０】
【図１】本発明の実施形態を説明するための、乗物用シートの一例の斜視図である。
【図２】図１のシートのトリムカバーの単体の斜視図である。
【図３】図２のトリムカバーの変形例の斜視図である。
【図４】図２のトリムカバーの他の変形例の斜視図である。
【図５】本発明の実施形態を説明するための、保管搬送具の一例の正面図である。
【図６】図２のトリムカバーが図５の保管搬送具に保管されている状態の模式図である。
【発明を実施するための形態】
【００１１】
図１は、本発明の実施形態を説明するための、乗物用シートの一例を示す。
【００１２】
シート１は、自動車等の車両に搭載される乗物用シートであって、シートに着座した乗員の臀部及び大腿部を支持するシートクッション２と、乗員の腰部及び背部を支持するシートバック３と、シートバック３の上端部に設けられており、乗員の頸部及び頭部を支持するヘッドレスト４とを備える。
【００１３】
シートクッション２、シートバック３、及びヘッドレスト４は、金属製のフレームと、フレームを覆うクッションパッドとを含み、クッションパッドはトリムカバーによって覆われている。クッションパッドは、例えばウレタンフォームなどの発泡材からなり、トリムカバーと一体に発泡成形されてもよいし、トリムカバーとは別に成形されていてもよい。
【００１４】
本例では、シートクッション２のクッションパッドはトリムカバー５によって覆われており、シートバック３のクッションパッドとヘッドレスト４のクッションパッドとは、トリムカバー５とは別のトリムカバー６によって覆われている。なお、ヘッドレスト４がシートバック３に対して昇降可能に構成される場合などに、シートバック３のクッションパッドとヘッドレスト４のクッションパッドとが個別のトリムカバーによって覆われていてもよい。また、シートクッション２のクッションパッドとシートバック３のクッションパッドとが、一つのトリムカバーによって一体に覆われていてもよい。
【００１５】
図２は、トリムカバー６を示す。なお、図２では、トリムカバー６は裏返された状態で示されている。
【００１６】
トリムカバー６は、乗員の腰部及び背部に接するシートバック３の前面を覆う前面表皮材１０と、シートバック３の後面を覆う後面表皮材１１と、シートバック３のシート幅方向両側の側面を覆う二枚の側面表皮材１２（図２には一方の側面表皮材１２のみ示されている）と、シートバック３の下端面を覆う下端面表皮材１３と、を含む複数の表皮材が縫い合わされて形成されている。表皮材としては、例えば皮革、織布、不織布等が用いられる。トリムカバーは、一種の表皮材によって形成されてもよいし、部位に応じて異なる複数種の表皮材によって形成されてもよい。
【００１７】
前面表皮材１０と、後面表皮材１１と、二枚の側面表皮材１２とは、互いに縫い合わされて筒体を構成している。下端面表皮材１３は、前面表皮材１０と、二枚の側面表皮材１２と縫い合わされており、上記筒体の一端側の開口１４を開閉可能に塞ぐフラップ状の蓋を構成している。シートバック３のフレームや、トリムカバー６とは別に成形されるシートバック３のクッションパッドは、開口１４を通してトリムカバー６に収容される。
【００１８】
そして、トリムカバー６は、吊り下げ具に引っ掛けられる引っ掛け部１５を備える。トリムカバー６がシートバック３のクッションパッドを覆っている状態で、引っ掛け部１５が外部に露出しないよう、引っ掛け部１５はトリムカバー６の裏面側に設けられ、本例では、前面表皮材１０と下端面表皮材１３とが縫い合わされている縫合部１６に設けられている。
【００１９】
引っ掛け部１５は、例えば前面表皮材１０及び下端面表皮材１３とは別に設けられ、且つ前面表皮材１０及び下端面表皮材１３と縫い合わされる小片によって構成されてもよいが、好ましくは、縫合部１６に形成された前面表皮材１０の縫い代１７及び下端面表皮材１３の縫い代１８のうち一方の縫い代に設けられ、この縫い代に形成された貫通孔を含む。本例では、引っ掛け部１５は、下端面表皮材１３の縫い代１８に設けられており、縫い代１８に形成された貫通孔１９を含んでいる。貫通孔１９には吊り下げ具が挿通される。引っ掛け部１５が、下端面表皮材１３の縫い代１８（又は前面表皮材１０の縫い代１７）に設けられることにより、前面表皮材１０及び下端面表皮材１３とは別の小片を前面表皮材１０及び下端面表皮材１３に縫い合わせる手間が省かれ、また部品点数も削減される。
【００２０】
下端面表皮材１３の縫い代１８には突出部１８ａが設けられており、突出部１８ａは、前面表皮材１０の縫い代１７と重ね合わされた状態で、縫い代１７から突出して配置される。引っ掛け部１５は、この突出部１８ａに設けられている。引っ掛け部１５が突出部１８ａに設けられていることにより、縫い代１７と縫い代１８とが重なり合っていても、貫通孔１９が縫い代１７によって塞がれず、吊り下げ具が貫通孔１９に挿通される際に、縫い代１７が作業の妨げとならない。
【００２１】
引っ掛け部１５の数及び配置は特に限定されないが、本例では、シート１が一人掛けのシートであってシート１の幅が比較的狭く、このような場合に、好ましくは、シート幅方向に延びる縫合部１６のシート幅方向の中央部に一つの引っ掛け部１５が配置される。縫合部１６の中央部に配置された一つの引っ掛け部１５にてトリムカバー６が吊り下げられることにより、トリムカバー６のシート幅方向両側の側部が垂れ下がるトリムカバー６の型崩れが表皮材の剛性によって抑制され、型崩れに起因するシワの発生が抑制される。また、吊り下げ具に対するトリムカバー６の着脱も容易となる。
【００２２】
一方、シート１が、例えば後席シート等の複数人掛けのシートなどであって、シート１の幅が比較的広いような場合には、図３に示すように、引っ掛け部１５は、縫合部１６に複数設けられてもよく、複数の引っ掛け部１５が設けられる場合に、好ましくは、トリムカバー６のシート幅方向の中心線Ａを挟んで対称に複数の引っ掛け部１５が配置される。これにより、トリムカバー６の幅が比較的広い場合にも、トリムカバー６の型崩れが抑制され、型崩れに起因するシワの発生が抑制される。なお、図４に示すように、複数の引っ掛け部１５は、一方の側面表皮材１２と下端面表皮材１３との縫合部２０と、他方の側面表皮材１２と下端面表皮材１３との縫合部２１とに設けられてもよい。
【００２３】
図５及び図６は、トリムカバーの保管及び搬送に用いられる保管搬送具の一例を示す。
【００２４】
保管搬送具３０は、図２に示したトリムカバー６の保管及び搬送に用いられるものである。保管搬送具３０は、この保管搬送具３０が設置される設置面Ｆから上方に離間して水平に配置されるレール３１と、レール３１の両端を支持するフレーム３２とを備える。フレーム３２は箱状に形成されており、レール３１の延在方向と平行な前面及び後面のうち少なくとも一方の面は開放されている。本例では、二本のレール３１が上下方向に間隔をあけて配置されているが、レール３１は一本であってもよいし三以上の複数本であってもよく、複数本のレール３１は、上下方向及び／又は前後方向に間隔をあけて配置されてもよい。
【００２５】
レール３１は、複数の吊り下げ具３３を有し、吊り下げ具３３は、トリムカバー６の引っ掛け部１５に形成されている貫通孔１９に挿通されるフック部３４と、レール３１に取り付けられる取付部３５とを有する。取付部３５は、環状に形成されており、レール３１が取付部３５に挿通されることにより、吊り下げ具３３は、レール３１に沿って移動可能にレール３１に支持され、且つレール３１から取り外し不能にレール３１に取り付けられている。
【００２６】
図６に示すように、吊り下げ具３３のフック部３４が引っ掛け部１５の貫通孔１９に挿通され、トリムカバー６はレール３１に吊り下げられる。レール３１に吊り下げられた複数のトリムカバー６は、レール３１に沿って重なり合って配置されるが、水平方向に重なり合うため、各トリムカバー６に他のトリムカバー６の重量が負荷されることはなく、トリムカバー６のシワの発生が抑制される。これにより、トリムカバー６及びこのトリムカバー６によって覆われるシート１の外観品質が維持される。
【００２７】
また、トリムカバー６が吊り下げ具３３から取り外される際に、吊り下げ具３３のフック部３４が引っ掛け部１５の貫通孔１９から抜かれるが、吊り下げ具３３がレール３１から取り外し不能にレール３１に取り付けられているため、吊り下げ具３３がトリムカバー６と共にレール３１から脱落することはなく、作業性が高まる。
【００２８】
ここまで、シート１のシートバック３を覆うトリムカバー６を例にして本発明を説明したが、シートクッション２を覆うトリムカバー５もまた、トリムカバー６と同様に、トリムカバーの裏面側に引っ掛け部を設け、保管搬送具３０のレール３１に吊り下げることができる。また、自動車等の車両に搭載されるシート１に限らず、本発明は、航空機、船舶等の車両以外の乗物用のシートにも応用できる。
【００２９】
以上、説明したとおり、本明細書に開示されたトリムカバーは、乗物用シートのトリムカバーであって、吊り下げ具に引っ掛けられる少なくとも一つの引っ掛け部を、当該トリムカバーの裏面側に備える。
【００３０】
また、本明細書に開示されたトリムカバーは、複数の表皮材が縫い合わされてなり、前記引っ掛け部は、二枚の表皮材が縫い合わされている縫合部に設けられている。
【００３１】
また、本明細書に開示されたトリムカバーは、前記引っ掛け部が、前記縫合部に形成された前記二枚の表皮材それぞれの縫い代のうち一方の縫い代に設けられており、前記一方の縫い代に形成された貫通孔を含む。
【００３２】
また、本明細書に開示されたトリムカバーは、前記一方の縫い代が、他方の縫い代と重ね合された状態で、前記他方の縫い代から突出して配置される突出部を有し、前記引っ掛け部は、前記突出部に設けられている。
【００３３】
また、本明細書に開示されたトリムカバーは、前記引っ掛け部が、当該トリムカバーのシート幅方向の中央部に配置されている。
【００３４】
また、本明細書に開示されたトリムカバーは、前記引っ掛け部を複数備え、複数の前記引っ掛け部は、当該トリムカバーのシート幅方向の中心線を挟んで対称に配置されている。
【００３５】
また、本明細書に開示された乗物用シートは、前記トリムカバーによって覆われている。
【００３６】
また、本明細書に開示された保管搬送具は、前記トリムカバーの保管搬送具であって、当該搬送具の設置面から離間して水平に配置されている一つ以上のレールを備え、前記レールは、前記トリムカバーの前記引っ掛け部が引っ掛けられる複数の吊り下げ具を有する。
【００３７】
また、本明細書に開示された保管搬送具は、前記複数の吊り下げ具が、前記レールの延在方向に移動可能に前記レールに支持されており、且つ前記レールから取り外し不能に前記レールに取り付けられている。
【符号の説明】
【００３８】
１  乗物用シート
２  シートクッション
３  シートバック
４  ヘッドレスト
５  トリムカバー
６  トリムカバー
１０  前面表皮材
１１  後面表皮材
１２  側面表皮材
１３  下端面表皮材
１４  開口
１５  引っ掛け部
１６  縫合部
１７  縫い代
１８  縫い代
１８ａ  突出部
１９  貫通孔
２０  縫合部
２１  縫合部
３０  保管搬送具
３１  レール
３２  フレーム
３３  吊り下げ具
３４  フック部
３５  取付部
Ａ  中心線
Ｆ  設置面
【図１】
2019018653.tif 000003
【図２】
2019018653.tif 000004
【図３】
2019018653.tif 000005
【図４】
2019018653.tif 000006
【図５】
2019018653.tif 000007
【図６】
2019018653.tif 000008